(57)【要約】  本生体認証装置は、制御ユニットが、ＬＥＤアレイを複数段階の異なる明るさに変化させながら、各段階の明るさ毎に指の血管パターンをＣＣＤカメラにより一定の方向から撮影し、撮影された複数枚の画像を重ね合わせるように合成することで各画像に写し出された血管パターンを全て包含する１枚の合成画像を生成し、この合成画像の血管パターンを登録者の血管パターンと照合するものである。
2009150735.tif 000002
【特許請求の範囲】
【請求項１】
被認証者の指に光源から光を照射し、前記指を透過した光を撮像装置で受光することで前記指の血管パターンの画像を撮影し、撮影された前記血管パターンを予め登録された登録者の血管パターンと照合することにより、被認証者が登録者本人であるか否かを判定する制御ユニットを備えた個人認証装置において、
前記制御ユニットが、前記光源を複数段階の異なる明るさに変化させながら、各段階の明るさ毎に前記指の血管パターンを前記撮像装置により一定の方向から撮影し、撮影された複数枚の画像を重ね合わせるように合成することで各画像に写し出された血管パターンを全て包含する１枚の合成画像を生成し、この合成画像の血管パターンを前記登録者の血管パターンと照合することを特徴とする生体認証装置。
【請求項２】
前記光源の複数段階の異なる明るさが、前記指の関節と関節との間の部分の血管パターンが画像に写し出される明るさと、前記指の関節部分の血管パターンが画像に写し出される明るさとを含むことを特徴とする請求項１に記載の生体認証装置。
【請求項３】
指の太さに応じた最適な前記光源の明るさの組み合わせを記載した複数のプロファイルが予め用意され、前記光源の複数段階の異なる明るさが、被認証者の指の太さに対応する前記プロファイルに従って決定されることを特徴とする請求項１または２に記載の生体認証装置。
【発明の詳細な説明】
【技術分野】
【０００１】
本発明は、指の血管パターンによって生体を認証する生体認証装置に関し、特に、簡単な構造で高速且つ精度の高い認証が可能な生体認証装置に関する。
【背景技術】
【０００２】
近年、セキュリティ上の観点から個人認証を行う必要がある場面において、従来からあるパスワード認証の他に、生体認証が多く採用されている。この生体認証とは、人間の体の一部から生涯不変の生体情報を抽出してその特徴から個人を特定するものであって、その一例としては、指の血管パターンの違いによって個人認証を行う方法がある。この方法では、赤外線等の光を照射した状態で指を撮影し、得られた画像から指の血管パターン情報を取得する。ここで、指の特性として、関節部分はその他の部分に比べて光が透過しやすく、関節部分の位置では画像が飽和状態すなわち白ボケた状態になって血管パターン情報が欠落しやすい、という特性がある。従って、この特性を利用して画像上で飽和状態の位置をもって関節部分の位置を特定することにより、例えば指先に最も近い第１関節からその隣の第２関節までの間について血管パターンを取得し、それを予め登録した情報と照合する方法が用いられる。【０００３】
このような指の血管パターンを用いた生体認証においては、良好な血管パターンを取得できるかどうか、すなわち血管パターンが鮮明に写し出された最適な画像を得られるかどうかが、認証の成功率（以下、「認証率」と呼ぶ）を大きく左右する。そして、最適な画像を得られるかどうかは、最適な明るさの光を指に照射できるかどうかに依存している。しかし、指の太さは人によって異なるため、全ての人の指に対して一定の明るさの光を照射したのでは、指の太い人の場合には光が十分に透過せずに画像が暗くなり、指の細い人の場合には光が透過しすぎて飽和状態となるので、最適な画像は得られない。そこで、指の太さに影響されずに常に最適な画像を得る手段として、指に照射する光の明るさをフィードバック制御する方法が従来用いられている。この方法は、まず所定の明るさの光を指に照射して画像を取得した後、第１関節と第２関節の間の血管パターンを良好に取得できたか否かを判断し、その判断結果に基づいて光の明るさを適宜調整して再度画像を取得するという処理を、最適な画像が得られるまで繰り返し行うものである（例えば、特許文献１参照）。【０００４】
【特許文献１】特開２００７−２１９６２４号公報
【発明の開示】
【発明が解決しようとする課題】
【０００５】
しかし、従来の生体認証装置によれば、光の明るさを調整して画像を取得した上でその画像の状態を判断する処理を繰り返すので、制御開始時における光の明るさ、目標となる最適な光の明るさ、及び制御方法等の関係によっては、最適な画像が得られるまでにかなりの時間を要する場合もあるという問題がある。また、画像を取得する度に、その画像の状態を判断する必要があるので、その判断を行う制御部には非常に高速な処理性能が求められるという問題もある。更に、第１関節と第２関節の間という狭い領域についてしか血管パターンを取得しないので、その領域に血管パターンがあまり存在せず、関節部に血管パターンが多く存在する人の場合、得られる情報が少ない分、誤認証の可能性が高くなるという問題もある。【０００６】
本発明は、このような問題に鑑みてなされたものであり、指の血管パターンによって生体を認証する生体認証装置において、良好な血管パターンを得られるような最適な画像を短時間で取得可能とし、且つ、指の広い領域について血管パターンを取得することで認証率向上を可能とする手段を提供する。
【課題を解決するための手段】
【０００７】
上記目的を達成するための本発明に係る生体認証装置は、被認証者の指に光源から光を照射し、前記指を透過した光を撮像装置で受光することで前記指の血管パターンの画像を撮影し、撮影された前記血管パターンを予め登録された登録者の血管パターンと照合することにより、被認証者が登録者本人であるか否かを判定する制御ユニットを備えた個人認証装置において、前記制御ユニットが、前記光源を複数段階の異なる明るさに変化させながら、各段階の明るさ毎に前記指の血管パターンを前記撮像装置により一定の方向から撮影し、撮影された複数枚の画像を重ね合わせるように合成することで各画像に写し出された血管パターンを全て包含する１枚の合成画像を生成し、この合成画像の血管パターンを前記登録者の血管パターンと照合するものである。【０００８】
また、本発明に係る生体認証装置は、前記光源の複数段階の異なる明るさが、前記指の関節と関節との間の部分の血管パターンが画像に写し出される明るさと、前記指の関節部分の血管パターンが画像に写し出される明るさとを含むものである。【０００９】
また、本発明に係る生体認証装置は、指の太さに応じた最適な前記光源の明るさの組み合わせを記載した複数のプロファイルが予め用意され、前記光源の複数段階の異なる明るさが、被認証者の指の太さに対応する前記プロファイルに従って決定されるものである。
【発明の効果】
【００１０】
本発明に係る生体認証装置によれば、指における光の透過率の異なる各部について血管パターンを別個に取得して、撮影した複数枚の画像を１枚に合成するので、指の広い領域について血管パターンを取得することができる。これにより、指のより広い領域の血管パターンに基づいて個人認証を行う分、血管パターンの個人差に影響を受けることがなく、認証率を高めることができる。【００１１】
また、本発明に係る生体認証装置によれば、光の透過率が低い領域である関節と関節との間の部分、及び光の透過率が高い領域である関節部分の両方について血管パターンを取得することができる。これにより、関節部分に血管パターンが多く集まるような被認証者であっても、誤認証が起こりにくい。【００１２】
また、本発明に係る生体認証装置によれば、被認証者の指の太さに対応するプロファイルに従って、光源の明るさが最適な組み合わせに決定される。これにより、指の太さの個人差に影響を受けることなく、精度良い個人認証が可能になる。
【発明を実施するための最良の形態】
【００１３】
以下、本発明の実施例に係る生体認証装置について説明する。図１は、本実施例に係る生体認証装置１を使用した入室管理システム２のシステム構成を示すブロック図である。入室管理システム２は、入室管理を行う部屋のドアに設けられてドアの開閉を制御する電子錠３と、この電子錠３に接続して設けられた生体認証装置１と、この生体認証装置１に接続して設けられて入退室の記録，登録者情報の記憶，保守，監視等を行うコンピュータ４とを備えるものである。そして、生体認証装置１は、入室しようとする者の個人認証を行う認証ユニット５と、この認証ユニット５の認証結果に基づいて電子錠３やコンピュータ４の動作を制御する制御ユニット６とから構成されている。このように構成される入室管理システム２では、通常は電子錠３が施錠された状態となっている。そして、認証ユニット５による認証の結果、被認証者に入室を許可する場合には、制御ユニット６が電子錠３を駆動して開錠するものとなっている。尚、コンピュータ４は本発明に必須の構成ではなく、その役割を生体認証装置１自体に担わせてもよい。【００１４】
図２は、認証ユニット５の外観構成を示す概略斜視図である。認証ユニット５は、本体フレーム７の前面側に、テンキーや液晶表示装置等を備えた操作パネル８と、磁気カードやＩＣカード等を読み取るためのカードリーダ９とが設けられるとともに、本体フレーム７に形成された凹溝１０の内部に、指の血管パターンを取得するための血管パターン取得機構１１が設けられて構成される。【００１５】
図３及び図４は、血管パターン取得機構１１の構成を示す図であって、図３は図２におけるＡ−Ａ断面を示す概略縦断面図、図４は図２におけるＢ−Ｂ断面を示す部分拡大縦断面図である。尚、図３と図４には被認証者の指１９を点線で示している。血管パターン取得機構１１は、凹溝１０に差し込まれた物体が生体であるか否かを検知する生体検知部１２と、生体である場合にその画像を撮影する画像撮影部１３とから構成される。【００１６】
図５は、生体検知部１２の構成を示す概略斜視図である。生体検知部１２は、図３及び図５に示すように、凹溝１０を構成する左右一対の側壁１４のうち、図２に向かって左側の側壁１４に設けられ、装置前面側の位置に設けられた感熱素子からなるサーミスタ１５と、このサーミスタ１５を挟んで向かい合って設けられた金属製の抵抗検出用電極１６及び容量検出用電極１７と、装置背面側の位置に設けられた金属製の共通電極１８とを有している。ここで、サーミスタ１５は、不図示の温度検出回路を構成し、凹溝１０に差し込まれた指１９の腹の付け根部分に接触して指１９の温度を測定する。また、抵抗検出用電極１６は、共通電極１８と共に不図示の抵抗検出回路を構成し、抵抗検出用電極１６が指１９の付け根部分に、共通電極１８が指１９の先端部分にそれぞれ接触することにより、指１９の直流抵抗値を測定する。また、容量検出用電極１７は、共通電極１８と共に不図示の容量検出回路を構成し、容量検出用電極１７が指１９の付け根部分に、共通電極１８が指１９の先端部分にそれぞれ接触することにより、指１９の容量値を測定する。【００１７】
尚、抵抗検出用電極１６と容量検出用電極１７は、図３と図５に示すように、その表面をそれぞれ円弧状に形成することにより、全体として指１９の断面形状に合致するＵ字型に形成してあり、指１９の差し込み位置を鉛直方向に位置決めする指ガイドとしての役割も果たしている。また、共通電極１８は、その装置前面側が指１９の先端形状に合わせて若干凹ませてあり、指１９の差し込み位置を水平方向に位置決めする指ストッパとしての役割も果たしている。また、本実施例では右手の人差し指１９を用いて個人認証を行うので、生体検知部１２を構成する各部材を人差し指１９の形状に合わせた形状としているが、人差し指１９以外の指１９を用いて個人認証を行う場合には、その指１９の形状に合わせてこれら各部材の形状を変更すればよい。更に、図に詳細は示さないが、凹溝１０を構成する右側の側壁１４に生体検知部１２を設け、左手の指１９を用いて個人認証を行うようにしてもよい。【００１８】
画像撮影部１３は、図４に示すように、凹溝１０を構成する右側の側壁１４を切り欠いて形成した照射窓２０と、本体フレーム７の内部に照射窓２０に沿って列設されたＬＥＤアレイ（光源）２１と、照射窓２０の上縁及び下縁から凹溝１０の内部に突出して設けられた上下一対の遮蔽板２２と、凹溝１０を構成する左側の側壁１４を略矩形に切り欠いて形成した受光窓２３と、この受光窓２３を塞ぐようにして左側の側壁１４の内側に設けられた透過板２４と、本体フレーム７の内部に受光窓２３に沿うようにして設置されたＣＣＤカメラ２５（撮像装置）とを有している。ここで、ＬＥＤアレイ２１は、例えば５ｍｍ間隔で１０個の赤外線ＬＥＤを配列したものである。ここで、この赤外線ＬＥＤは、供給する電力量を制御することでその明るさを変化させることが可能となっている。電力量の制御方式としては、従来公知の種々の手法を用いることができ、例えば、ＰＷＭ（Ｐｕｌｓｅ  Ｗｉｄｔｈ  Ｍｏｄｕｌａｔｉｏｎ）と呼ばれる、一定周期でＯＮとＯＦＦを繰り返し、ＯＮとＯＦＦの時間の比率で強弱をコントロールする手法や、ＰＡＭ（Ｐｕｌｓｅ  Ａｍｐｌｉｔｕｄｅ  Ｍｏｄｕｌａｔｉｏｎ）と呼ばれる、パルス信号の強度（振幅）によって強弱をコントロールする手法を用いることができる。また、遮蔽板２２は、赤外線を透過させない部材からなるものであって、上下の遮蔽板２２の先端の間には、例えば３ｍｍ程度の隙間２６を形成している。また、透過板２４は、赤外線のみを透過させるプラスティック等からなる板材である。【００１９】
このように構成される画像撮影部１３によれば、ＬＥＤアレイ２１から発せられた赤外線が、照射窓２０を通って、凹溝１０の内部に差し込まれた指１９に照射され、この指１９を透過した赤外線が、受光窓２３から透過板２４を通ってＣＣＤカメラ２５により受光される。このように、赤外線の透過光を用いて指１９の画像を撮影することにより、指１９の表面付近にある静脈のみならず、指１９の内部にある動脈をも撮影することができる。また、ＬＥＤアレイ２１から発せられた赤外線のうち、不要なものは遮蔽板２２によって遮断されるので、撮影画像の解像度が向上する。尚、赤外線は骨を透過するので、撮影画像に骨は写らない。【００２０】
尚、本実施例では凹溝１０に向かって右側にＬＥＤアレイ２１を、左側にＣＣＤカメラ２５をそれぞれ設置したが、これとは逆に凹溝１０に向かって右側にＣＣＤカメラ２５を、左側にＬＥＤアレイ２１をそれぞれ設置してもよい。しかし、凹溝１０に対する指１９の差し込み方が、本実施例のように指１９の腹側を凹溝１０の左側に、指１９の背側を凹溝１０の右側に向けて差し込む場合には、指１９の背側から赤外線を照射した方が、指１９の背側にあるシワが撮影画像に及ぼす影響を低減できるという利点がある。また、本実施例では赤外線の照射方向が水平方向になるように画像撮影部１３を構成したが、赤外線の照射方向が鉛直方向になるように、すなわちＬＥＤアレイ２１とＣＣＤカメラ２５のいずれか一方を凹溝１０の上側に、いずれか他方を凹溝１０の下側にそれぞれ設置することで画像撮影部１３を構成してもよい。しかし、赤外線の照射方向を水平方向に向けた方が、照射窓２０が水平方向に向かって開口する分、ＣＣＤカメラ２５が外部から不要な赤外線を受光しにくく、また照射窓２０の内部に空気中の塵等が溜まりにくいという利点がある。また、赤外線の照射方向を水平方向に向けた方が、透過板２４が起立した状態となる分、空気中の塵等が透過板２４に付着しにくいという利点もある。【００２１】
次に、本発明に係る生体認証装置１が行う個人認証処理の手順について、図６と図７に示すフローチャートを用いて説明する。個人認証処理の開始に伴い、認証ユニット５の動作を制御する制御ユニット６は、まず、操作パネル８から被認証者のＩＤが入力されたか否かを判定する（Ｓ１）。その結果、ＩＤが入力されていないと判断した場合（Ｓ１：Ｎｏ）、制御ユニット６は、Ｓ１へ戻って判定を繰り返しながらＩＤが入力されるまで待機する。一方、被認証者のＩＤが入力されたと判断した場合（Ｓ１：Ｙｅｓ）、制御ユニット６は、入力されたＩＤに対応する血管パターンの登録画像を、不図示のメモリから読み込む（Ｓ２）。次に、制御ユニット６は、前記生体検知部１２の動作を制御することにより、凹溝１０に差し込まれた物体が生体であるか否かを判定する。具体的には、制御ユニット６は、対象物体の直流抵抗を測定し（Ｓ３）、次に対象物体の容量を測定した後（Ｓ４）、最後に対象物体の温度を測定する（Ｓ５）。そして、制御ユニット６は、各測定値の全てが所定の範囲内に入っているかどうかによって対象物体が生体であるか否かを判定する（Ｓ６）。その結果、対象物体が生体ではないと判断した場合（Ｓ６：Ｎｏ）、制御ユニット６は、入室を許可しない旨を被認証者に報知し（Ｓ７）、個人認証処理を終了する。【００２２】
一方、対象物体が生体である、すなわち人間の指１９であると判断した場合（Ｓ６：Ｙｅｓ）、制御ユニット６は、図７に示すように、前記画像撮影部１３の動作を制御して指１９の画像を撮影する。すなわち、制御ユニット６は、まずＬＥＤアレイ２１を点灯し（Ｓ８）、その明るさを調整した後（Ｓ９）、ＣＣＤカメラ２５から画像を取り込む（Ｓ１０）。続いて、制御ユニット６は、画像を取り込んだ回数が、予め定めた回数であるＮ回に達したか否かを判定する（Ｓ１１）。その結果、画像取り込み回数が未だＮ回に達していないと判断した場合（Ｓ１１：Ｎｏ）、制御ユニット６は、Ｓ９へ戻ってＬＥＤアレイ２１の明るさを再調整した後、ＣＣＤカメラ２５から画像を取り込む（Ｓ１０）という処理を、画像取り込み回数がＮ回に達するまで繰り返す。その後、画像取り込み回数がＮ回に達したと判断した場合（Ｓ１１：Ｙｅｓ）、制御ユニット６は、ＬＥＤアレイ２１を消灯する（Ｓ１２）。【００２３】
ここで、本実施例では、画像の取り込み回数をＮ＝３回とし、ＬＥＤアレイ２１の明るさを３段階の異なる明るさＡ１，Ａ２，Ａ３として定めている。ここで、明るさＡ１とは、平均的な被認証者の右手人差し指１９に照射した場合、透過率が高い関節部分では赤外線が適度に透過して撮影画像に血管パターンが写し出されるが、透過率が低い関節と関節との間の部分では、赤外線の透過する量が少なすぎることにより、撮影画像に血管パターンが写し出されない程度の明るさを指す。また、明るさＡ２とは、透過率が高い関節部分では赤外線の透過量が多すぎて撮影画像が飽和状態になり、関節と関節との間の部分のうち透過率が比較的高い部分では、赤外線が適度に透過して撮影画像に血管パターンが写し出されるが、関節と関節との間の部分のうち透過率が比較的低い部分では、赤外線の透過量が少なすぎて撮影画像に血管パターンが写し出されない程度の明るさを指す。また、明るさＡ３とは、透過率が高い関節部分、及び関節と関節との間の部分のうち透過率が比較的高い部分では、赤外線の透過量が多すぎて撮影画像が飽和状態になり、関節と関節との間の部分のうち透過率が比較的低い部分では、赤外線が適度に透過して撮影画像に血管パターンが写し出される程度の明るさを指す。このように、ＬＥＤアレイ２１の明るさを複数段階に変化させて画像を取り込むことにより、関節と関節との間の部分のみならず関節部分についても血管パターンを取得することができる。【００２４】
尚、画像の取り込み回数は、複数回であれば３回に限られず任意の回数とすることができる。また、この画像の取り込み回数に応じて、ＬＥＤアレイ２１の明るさを変化させる段階数も適宜変更することができる。但し、画像の取り込み回数を増やすほど、多くの画像を用いて認証を行うことになるので認証率は向上するが、その反面、認証処理全体に要する時間が長くなるので、その兼ね合いを考慮して画像の取り込み回数を決定する必要がある。【００２５】
また、本実施例では、ＬＥＤアレイ２１の３段階の明るさを決めるに際し、平均的な被認証者の右手人差し指１９に照射する場合を考慮して決定したが、被認証者の右手人差し指１９の太さによっては、良好な血管パターンを取得できないことがある。例えば、被認証者の右手人差し指１９が平均的な被認証者よりも太い場合、ＬＥＤアレイ２１の明るさをＡ１，Ａ２，Ａ３としたのでは、平均的な被認証者であれば赤外線が適度に指１９を透過して撮影画像に血管パターンが写し出されるところ、指１９が太い分だけ赤外線の透過量が少なくなって、撮影画像に写し出される血管パターンが不鮮明になることがある。尚、指１９の太さとは、指１９の背側から赤外線を照射して腹側へ透過させる本実施例では指１９の厚みを意味している。【００２６】
従って、被認証者の指１９の太さに影響を受けることなく良好な血管パターンを取得するために、被認証者の指１９の太さに応じてＬＥＤアレイ２１の明るさを変化させるようにしてもよい。例えば、被認証者の指１９の太さと、それに対応するプロファイルとを関連付けたテーブルを不図示のメモリに記憶しておく。このプロファイルには、指１９の太さに応じて、その太さの指１９を撮影するのに最適なＬＥＤアレイ２１の明るさの組み合わせが記載されている。そして、制御ユニット６は、まず最初にＬＥＤアレイ２１をある特定の明るさに設定して指１９画像を撮影し、撮影画像の状態から被認証者の指１９の太さを判断する。そして、その指１９の太さに対応するプロファイルを前記テーブルから読み出し、プロファイルに記載された情報に従って、ＬＥＤアレイ２１の明るさを画像の取り込み毎に変化させる。尚、被認証者の指１９の太さを検知するために、凹溝１０の内部に、血管パターン取得機構１１の一部として、公知のセンサ等を用いた指太さ検知部（不図示）を設けてもよい。また、ＬＥＤアレイ２１の明るさの情報を、プロファイルに記載する代わりに、指１９の太さを検知する度に、計算によってＬＥＤアレイ２１の明るさの組み合わせを算出して決定してもよい。【００２７】
一方、対象物体が生体である、すなわち人間の指１９であると判断した場合（Ｓ６：Ｙｅｓ）、制御ユニット６は、前記画像撮影部１３の動作を制御して指１９の画像を撮影する。すなわち、制御ユニット６は、まずＬＥＤアレイ２１を点灯し（Ｓ８）、その明るさを調整した後（Ｓ９）、ＣＣＤカメラ２５から画像を取り込む（Ｓ１０）。続いて、制御ユニット６は、画像を取り込んだ回数が、予め定めた回数であるＮ回に達したか否かを判定する（Ｓ１１）。その結果、画像取り込み回数が未だＮ回に達していないと判断した場合（Ｓ１１：Ｎｏ）、制御ユニット６は、Ｓ９へ戻ってＬＥＤアレイ２１の明るさを再度調整した後、ＣＣＤカメラ２５から画像を取り込む（Ｓ１０）という処理を、画像取り込み回数がＮ回に達するまで繰り返す。その後、画像取り込み回数がＮ回に達したと判断した場合（Ｓ１１：Ｙｅｓ）、制御ユニット６は、ＬＥＤアレイ２１を消灯する（Ｓ１２）。【００２８】
その後、制御ユニット６は、図７に示すようにＳ１２でＬＥＤアレイ２１を消灯した後、取り込んだＮ枚の画像を合成して新たな画像を生成する（Ｓ１３）。ここで、画像の合成とは複数枚の撮影画像を重ね合わせて、各画像に写し出された血管パターンの全てを包含する１枚の新たな画像を生成することを意味している。尚、本実施例ではＮ枚の画像を全て取り込んだ後にそれらを１枚に合成しているが、１枚の画像を取り込む度に先に取り込んだ画像と合成する処理を繰り返すことにより、最終的に１枚の画像に合成してもよい。【００２９】
次に、制御ユニット６は、合成して新たに生成した画像について画像データを圧縮し（Ｓ１４）、圧縮後の画像について局所的な濃淡変化を強調するための強調フィルタ処理を行った後（Ｓ１５）、強調後の画像について細かいノイズを取り除くためのノイズ除去フィルタ処理を行う（Ｓ１６）。これにより、血管パターンの端点や分岐点等の位置やこれらの相互関係が明確化されることにより、合成後の画像についてその特徴点が抽出される。尚、画像データ圧縮処理、強調フィルタ処理、及びノイズ除去フィルタ処理に関しては、従来公知の手法を適宜用いることができる。【００３０】
最後に、制御ユニット６は、被認証者が、入力されたＩＤを持つ本人であるか否かを判定する（Ｓ１７）。この判定は、合成後の画像を、Ｓ２で読み出した登録画像と照合することにより行う。具体的には、合成後の画像についてＳ１６で抽出した特徴点を、登録画像の特徴点と比較して、両者が一致するか否かを判定する。その結果、被認証者が登録者本人であると判断した場合（Ｓ１７：Ｙｅｓ）、制御ユニット６は電子錠３を駆動して開錠する（Ｓ１８）。これにより、被認証者の入室が許可され、個人認証処理が終了する。一方、被認証者が本人でないと判断した場合（Ｓ１７：Ｎｏ）、制御ユニット６は、図６に示すように入室を許可しない旨を被認証者に報知し（Ｓ７）、個人認証処理が終了する。尚、合成画像と登録画像を照合する処理についても、従来公知の手法を適宜用いることができる。【００３１】
このように、本発明では、指１９に対して一定の方向から赤外線を照射するＬＥＤアレイ２１の明るさを変化させて複数回画像を取り込み、取り込んだ複数枚の画像を重ね合わせるようにして１枚に合成し、この合成画像を登録画像と照合することで個人認証処理を行う。従って、関節と関節との間の部分のような赤外線の透過率の高い部分だけでなく、関節部分のような赤外線の透過率の低い部分についても血管パターンを取得することができる。これにより、指１９のより広い領域の血管パターンに基づいて個人認証処理を行う分、血管パターンの個人差に影響を受けることがなく、認証率を高めることができる。また、ＬＥＤアレイ２１の明るさをどのように変化させるかは、被認証者の指１９の太さに応じて決定するので、指１９の太さの個人差に影響を受けることなく、常に良好な血管パターンを取得することができる。また、指１９の太さに影響を受けないので、他の指と太さの異なる親指や小指等であっても個人認証処理に使用することができる。
【産業上の利用可能性】
【００３２】
本発明に係る生体認証装置は、右手人差し指に代えて、右手の他の指、左手の指、手のひら、足の指、足のひら等の血管パターンを用いて個人認証処理を行うようにしてもよい。
【図面の簡単な説明】
【００３３】
【図１】本発明の実施例に係る生体認証装置１を使用した入室管理システム２のシステム構成を示すブロック図。
【図２】認証ユニット５の外観構成を示す概略斜視図。
【図３】図２におけるＡ−Ａ断面を示す概略縦断面図。
【図４】図２におけるＢ−Ｂ断面を示す部分拡大縦断面図。
【図５】生体検知部１２の構成を示す概略斜視図。
【図６】生体認証装置１が行う個人認証処理の手順を示すフローチャート。
【図７】生体認証装置１が行う個人認証処理の手順を示すフローチャート。
【符号の説明】
【００３４】
１  個人認証装置
６  制御ユニット
１９  指
２１  ＬＥＤアレイ（光源）
２５  撮像装置（ＣＣＤカメラ）
【図１】
2009150735.tif 000003
【図２】
2009150735.tif 000004
【図３】
2009150735.tif 000005
【図４】
2009150735.tif 000006
【図５】
2009150735.tif 000007
【図６】
2009150735.tif 000008
【図７】
2009150735.tif 000009
【国際調査報告】
2009150735.tif 000010
2009150735.tif 000011